(57)【要約】【課題】Ｗｅｂページ内の一部の領域を他の機器に表示させること。【解決手段】  実施形態によれば、電子機器は、ディスプレイと、受信手段と、選択手段と、表示手段と、送信手段とを具備する。受信手段は、Ｗｅｂページデータを受信する。選択手段は、前記Ｗｅｂページデータに基づいて前記ディスプレイの表示画面に表示されるＷｅｂページ内の一部の第１の領域を選択する。表示手段は、前記第１の領域を前記表示画面上に表示する。送信手段は、前記Ｗｅｂページのアドレスと、前記第１の領域の位置情報と、前記ディスプレイの解像度とを含むＷｅｂページ表示領域情報を第２の電子機器に送信する。【選択図】    図４
2012230629.tif 000002
【特許請求の範囲】
【請求項１】
ディスプレイと、
Ｗｅｂページデータを受信する受信手段と、
前記Ｗｅｂページデータに基づいて前記ディスプレイの表示画面に表示されるＷｅｂページ内の一部の第１の領域を選択する選択手段と、
前記第１の領域を前記表示画面上に表示する表示手段と、
前記Ｗｅｂページのアドレスと、前記第１の領域の位置情報と、前記ディスプレイの解像度とを含むＷｅｂページ表示領域情報を第２の電子機器に送信する送信手段と
を具備する電子機器。
【請求項２】
第３のＷｅｂページの一部の第３の領域を第３の表示画面に表示する第３の電子機器から送信された、前記第３のＷｅｂページのアドレスと、前記第３の領域の位置情報と、前記第３の表示画面の解像度とを含む第３のＷｅｂページ表示領域情報を受信する手段を更に具備し、
前記表示手段は、第３のＷｅｂページ表示領域情報に基づいて前記表示画面上に前記第３の領域を表示する請求項１記載の電子機器。
【請求項３】
前記第１の領域は、Document Object Modelによって記述された要素を含む請求項１記載の電子機器。
【請求項４】
放送波を受信し、前記放送波に含まれる番組データに応じた映像データおよび音声データを生成する受信部を更に具備する
請求項１記載の電子機器。
【請求項５】
移動体通信を行う通信部を更に具備する
請求項１記載の電子機器。
【請求項６】
Ｗｅｂページデータを受信し、
前記Ｗｅｂページデータに基づいてディスプレイの表示画面に表示されるＷｅｂページ内の一部の第１の領域を選択し、
前記第１の領域を前記表示画面上に表示し、
前記Ｗｅｂページのアドレスと、前記第１の領域の位置情報と、前記ディスプレイの解像度とを含むＷｅｂページ表示領域情報を第２の電子機器に送信する
電子機器の制御方法。
【請求項７】
第３のＷｅｂページの一部の第３の領域を第３の表示画面に表示する第３の電子機器から送信された、前記第３のＷｅｂページのアドレスと、前記第３の領域の位置情報と、前記第３の表示画面の解像度とを含む第３のＷｅｂページ表示領域情報を受信し、
前記第３のＷｅｂページ表示領域情報に基づいて前記表示画面上に前記第３の領域を表示する
請求項６記載の電子機器の制御方法。
【請求項８】
前記第１の領域は、Document Object Modelによって記述された要素を含む
請求項６記載の電子機器の制御方法。
【請求項９】
コンピュータにより実行されるプログラムであって、前記プログラムは、
Ｗｅｂページデータを受信し、
前記Ｗｅｂページデータに基づいてディスプレイの表示画面に表示されるＷｅｂページ内の一部の第１の領域を選択し、
前記第１の領域を前記表示画面上に表示し、
前記Ｗｅｂページのアドレスと、前記第１の領域の位置情報と、前記ディスプレイの解像度とを含むＷｅｂページ表示領域情報を第２の電子機器に送信する
ものであるプログラム。
【請求項１０】
前記プログラムは、
第３のＷｅｂページの一部の第３の領域を第３の表示画面に表示する第３の電子機器から送信された、前記第３のＷｅｂページのアドレスと、前記第３の領域の位置情報と、前記第３の表示画面の解像度とを含む第３のＷｅｂページ表示領域情報を受信し、
前記第３のＷｅｂページ表示領域情報に基づいて前記表示画面上に前記第３の領域を表示する
ものである請求項９に記載のプログラム。
【請求項１１】
前記プログラムは、
前記第１の領域は、Document Object Modelによって記述された要素を含む
ものである請求項９に記載のプログラム。
【発明の詳細な説明】
【技術分野】
【０００１】
本発明の実施形態は、Ｗｅｂページを表示可能な電子機器、電子機器の制御方法、およびプログラムに関する。
【背景技術】
【０００２】
インターネットに接続可能で、Ｗｅｂページを表示可能なテレビが販売されている。
【先行技術文献】
【特許文献】
【０００３】
【特許文献１】特願２００８−１７１２２７号公報
【発明の概要】
【発明が解決しようとする課題】
【０００４】
Ｗｅｂページの特定部分を拡大表示するなどしてより見やすくしたいという要望がある。
【０００５】
テレビに表示されているＷｅｂページ内のリンク先のＷｅｂページを詳しく見たい場合、テレビのリモコンで操作するのは容易ではない。そのため、テレビに表示されている一部の領域を、パーソナルコンピュータやスマートフォンに表示させたいという要望がある。
【０００６】
また、モバイルパーソナルコンピュータやスマートフォンでｗｅｂページを見ている際に気になるサイトがあったので、大画面のテレビで定常的に見たいという要望がある。
【０００７】
本発明の目的は、Ｗｅｂページ内の一部の領域を他の機器に表示させることが可能な電子機器、電子機器の制御方法、プログラムを提供することにある。
【課題を解決するための手段】
【０００８】
実施形態によれば、電子機器は、ディスプレイと、受信手段と、選択手段と、表示手段と、送信手段とを具備する。受信手段は、Ｗｅｂページデータを受信する。選択手段は、前記Ｗｅｂページデータに基づいて前記ディスプレイの表示画面に表示されるＷｅｂページ内の一部の第１の領域を選択する。表示手段は、前記第１の領域を前記表示画面上に表示する。送信手段は、前記Ｗｅｂページのアドレスと、前記第１の領域の位置情報と、前記ディスプレイの解像度とを含むＷｅｂページ表示領域情報を第２の電子機器に送信する。
【図面の簡単な説明】
【０００９】
【図１】第１の実施形態の宅内ＬＡＮに接続されたデバイスの構成の一例を示す図。
【図２】ＷｅｂページおよびＷｅｂページ内から選択される領域の一例を示す図。
【図３】第１の実施形態の電子機器が複数のＷｅｂページの一部の領域を表示している状態の一例を示す図。
【図４】第１の実施形態の電子機器の構成の一例を示すブロック図。
【図５】第１の実施形態の電子機器によって生成されるｗｅｂＭａｇデータの一例を示す図。
【図６】図５に示すｗｅｂＭａｇデータを説明するための図。
【図７】第１の実施形態の電子機器によって行われるｗｅｂＭａｇデータを生成する手順の一例を示す図。
【図８】ｗｅｂＭａｇデータの送信を説明するための図。
【図９】ｗｅｂＭａｇデータの送信を説明するための図。
【図１０】複数のｗｅｂＭａｇデータがスマートフォンに送信された場合、スマートフォンの表示画面に表示されるウィンドウを示す図。
【図１１】図１０に示す複数のウィンドウから一つのウィンドウを選択した場合にスマートフォンの表示画面の表示状態を示す図。
【図１２】第２の実施形態の電子機器の構成の一例を示す図。
【図１３】第２の実施形態の電子機器によって行われるｗｅｂＭａｇデータを生成する手順の一例を示す図。
【発明を実施するための形態】
【００１０】
以下、実施の形態について図面を参照して説明する。  
図１は、第１の実施形態の宅内ＬＡＮに接続されたデバイスの構成を示す図である。
【００１１】
図１に示すように、テレビ受像器１０、スマートフォン２０、アクセスポイント（ＡＰ）３０、およびゲートウエイ（ＧＷ）４０が宅内ＬＡＮに接続されている。スマートフォン２０は、アクセスポイント３０を介して宅内ＬＡＮに接続されたテレビ受像器１０と通信を行うことが可能である。テレビ受像器１０、スマートフォン２０は、ゲートウエイ４０を介してインターネットに接続される。なお、アクセスポイント３０が無くてもテレビ受像器１０とスマートフォン２０が直接Ｂｌｕｅｔｏｏｔｈ（登録商標）やＤＬＮＡで繋がっていてもよい。
【００１２】
テレビ受像器（電子機器）１０は、インターネット上のＷｅｂサイトにアクセスし、Ｗｅｂページを表示画面上に表示することが可能である。また、テレビ受像器１０は、ユーザがリモートコントローラを操作することで選択されたＷｅｂページ１００の一部の領域１０１を表示画面上に表示することが可能である（図２）。テレビ受像器１０は、図３に示すように、表示画面１１０上に複数のＷｅｂページの一部の領域１０１Ａ〜１０１Ｄを表示することが可能である。
【００１３】
テレビ受像器１０は、表示画面１１０上に表示されている領域１０１Ａ〜１０１の少なくとも一つの領域に応じたデータをスマートフォン２０に送信することで、スマートフォン２０の表示画面上に表示画面１１０上に表示されている領域を表示させる。
【００１４】
図４を参照して、テレビ受像器１０の構成を説明する。図４は、テレビ受像器１０の構成を示すブロック図である。  
テレビ受像器１０は、リモコン信号受信部２０１、放送データ受信部２０２、Ｗｅｂ情報表示画面制御部２０３、接続機器検出部２０４、Ｗｅｂ情報受信部２０５、ネットワークインタフェース（Ｉ／Ｆ）部２０６、Ｗｅｂ情報表示用パラメータ制御部２０７、Ｗｅｂ情報表示用パラメータデータベース（ＤＢ）２０８、パラメータ送受信部２０９、表示内容制御部２１０、映像信号出力部２１１、およびディスプレイ２１２等を備えている。
【００１５】
リモコン信号受信部２０１は、テレビ受像器１０を操作するためのリモートコントローラ（リモコン）２３０から送信された赤外線信号を受信し、受信した信号に応じた信号を送信する。放送データ受信部２０２は、アンテナ５０によって受信している放送波から取得できる番組データを生成する。そして、番組データに応じた映像データおよび音声データを生成する。
【００１６】
表示内容制御部２１０は、リモートコントローラ信号受信部２０１からの信号に応じて、放送データ受信部２０２によって生成された映像データとＷｅｂ情報表示画面制御部２０３によって生成された映像データとを切り替えて映像信号出力部２１１に出力する。映像信号出力部２１１は、入力された映像データに基づいてディスプレイに出力する映像信号を生成する。ディスプレイ２１２は、入力された映像信号に基づいた映像を表示画面に表示する。
【００１７】
Ｗｅｂ情報表示画面制御部２０３は、リモコン信号受信部２０１から送信された信号に応じて、Ｗｅｂサイトにアクセスし、Ｗｅｂ情報受信部２０５およびネットワークＩ／Ｆ部２０６を用いてＷｅｂページデータを受信する。
【００１８】
Ｗｅｂ情報表示画面制御部２０３は、Ｗｅｂページデータに基づいたＷｅｂページをディスプレイ２１２の表示画面上に表示するための映像データを生成する。そして、リモコン信号受信部２０１からの信号に応じて、ディスプレイ２１２の表示画面上に表示されているＷｅｂページから選択された一部の領域をディスプレイ２１２に表表示するための映像データを生成する。
【００１９】
また、Ｗｅｂ情報表示画面制御部２０３は、ｗｅｂＭａｇデータを受信した場合に、ｗｅｂＭａｇデータに基づいたＷｅｂサイトの一部の領域をディスプレイに表示するための映像データを生成する。ｗｅｂＭａｇデータとは、Ｗｅｂページの特定の位置部分を拡大して見やすくしたものを他のデバイスでも表示できるように記述されたデータのことである。
【００２０】
Ｗｅｂ情報表示用パラメータ制御部２０７は、選択された領域の情報をＷｅｂ情報表示画面制御部２０３から取得し、取得したデータに基づいてｗｅｂＭａｇデータを生成する。Ｗｅｂ情報表示用パラメータ制御部２０７は、生成したｗｅｂＭａｇデータをＷｅｂ情報表示用パラメータデータベース２０８に格納する。
【００２１】
ｗｅｂＭａｇデータの例を図５に示す。図５に示すように、“ｉｄ”の後の“ibButton-7”は、ｗｅｂＭａｇデータに割り当てられているＩＤ番号を示す。“date”の“2011-04-07T19:08:05+09:00”は、ｗｅｂＭａｇデータの生成時刻を示している。“updated”の後の“2011-04-09T23:08:05+09:00”は、最後にディスプレイ２１２に表示された時刻を示している。“url”の後の“http://www3.aaa.or.jp/news/bbb/”は、ＷｅｂページのＵＲＬアドレスを示している。“selector”は“.section”抽出対象であるＨＴＭＬ内の特定要素(divやtableなど)が持つ属性(ｉｄや、ｃｌａｓｓなどのＣＳＳ情報)を示している。“top”の後の５２１は、図６に示すように、Ｗｅｂページ２７０中で、抽出対象となる要素（領域）２７１が描画されている始点のｙ座標（ピクセル）を示している。“left”の後の１０７は、図６に示すように、Ｗｅｂページ２７０中で、抽出対象となる要素２７１が描画されている始点のｘ座標（ピクセル）を示している。“width”の後の６４０は、図６に示すように、Ｗｅｂページ２７０中で、抽出対象となる要素２７１の幅(ピクセル)を示している。“height”の後の５９８は、図６に示すように、Ｗｅｂページ２７０中で、抽出対象となる要素２７１の高さ(ピクセル)を示している。“display_pixel”の後の[1920, 1080]は、ｗｅｂＭａｇデータ生成時のディスプレイ２１２の解像度(ピクセル)を示している。“display_size”の後の[48.77, 36.58]は、ｗｅｂＭａｇデータ生成時のディスプレイ２１２のサイズ(cm)を示している。“zoom”の後の１．２５は拡大率（倍）を示している。
【００２２】
Ｗｅｂ情報表示用パラメータ制御部２０７がｗｅｂＭａｇデータを生成し、生成したｗｅｂＭａｇデータをＷｅｂ情報表示用パラメータデータベース２０８に格納する手順を図７のフローチャートを参照して説明する。
【００２３】
Ｗｅｂ情報表示用パラメータ制御部２０７は、ＷｅｂページのＨＴＭＬのソースデータを取得する（ステップ３０１）。Ｗｅｂ情報表示用パラメータ制御部２０７は、ソースデータからＵＲＬアドレスおよびＤＯＭ（Document Object Model）を取得する（ステップ３０２）。Ｗｅｂ情報表示用パラメータ制御部２０７は、ユーザによるリモートコントローラ２３０の操作に応じたポインタの操作情報に応じて設定されたＷｅｂページ内の領域αの始点、終点、および面積を取得する（ステップ３０３）。Ｗｅｂ情報表示用パラメータ制御部２０７は、選択された領域に表示されるＤＯＭ内の要素βについて以下三つの条件を満たすものが一意に指定可能かを判定する（ステップ３０４）。
【００２４】
(1)要素βの面積が領域αの面積より大きい。
【００２５】
(2)（要素βの面積）/（領域αの面積）が最も1に近い。
【００２６】
(3)要素βと領域αの重複領域が最も大きい。
【００２７】
一意に指定可能であると判定した場合（ステップ３０４のＹｅｓ）、Ｗｅｂ情報表示用パラメータ制御部２０７は、一意に指定可能な要素β’をユーザによって選択された領域として選択する（ステップ３０５）。Ｗｅｂ情報表示用パラメータ制御部２０７は、要素β'の属性情報を取得する（ステップ３０６）。一意に指定可能ではないと判定した場合（ステップ３０４のＮｏ）、Ｗｅｂ情報表示用パラメータ制御部２０７は、領域αの始点および終点の情報を取得する（ステップ３０７）。
【００２８】
Ｗｅｂ情報表示用パラメータ制御部２０７は、Ｗｅｂページの内の一部を表示する描画サイズの最大値（幅、高さ）を取得する（ステップ３０８）。Ｗｅｂ情報表示用パラメータ制御部２０７は、ディスプレイ２１２のサイズを取得する（ステップ３０９）。Ｗｅｂ情報表示用パラメータ制御部２０７は、拡大率（対象領域／γ）を算出する（ステップ３１０）。Ｗｅｂ情報表示用パラメータ制御部２０７は、ＵＲＬアドレス、サイズに基づいてｗｅｂＭａｇデータを作成する（ステップ３１１）。Ｗｅｂ情報表示用パラメータ制御部２０７は、作成されたｗｅｂＭａｇデータをＷｅｂ情報表示用パラメータデータベース２０８に格納する。
【００２９】
パラメータ送受信部２０９は、リモートコントローラからＷｅｂマグデータのスマートフォン２０への送信が指示された場合に、指示されたｗｅｂＭａｇデータをスマートフォン２０に送信する。
【００３０】
例えば、図８に示すように、ユーザが表示画面４００上に表示されているＷｅｂページの一部領域を表示するウィンドウ４０１を選択する。図９に示すように、ユーザが選択された状態でリモートコントローラ２３０に設けられた決定キーを操作すると、送信先候補を示すボタン４１１Ａ，４１１Ｂが表示画面４００上に表示される。候補ボタン４１１Ａを押下操作後に、パラメータ送受信部２０９は、指定された端末であるスマートフォン２０にｗｅｂＭａｇデータを送信する。
【００３１】
なお、一度に複数のｗｅｂＭａｇデータを送信することも可能である。一度に複数のｗｅｂＭａｇデータが送信された場合、図１０に示すように、スマートフォン２０の表示画面５００上にはウィンドウ５０１，５０２，５０３が表示されている。表示画面の上部には、“You sent me these 4 @ 7:00”と表示され、４つのｗｅｂＭａｇデータが７時に送信されたことを示している。また、ウィンドウから一つのウィンドウ、例えばウィンドウ５０１の選択操作を行うことで、図１１に示すように、ｗｅｂＭａｇデータに記述されているＵＲＬアドレスに基づいたＷｅｂページを含むウィンドウ５０１Ａが表示される。表示画面５００の上部には“1/4 @ 7:00”と表示され、７時に送信された４つのｗｅｂＭａｇデータの内の１番目のｗｅｂＭａｇデータに記述されているＵＲＬアドレスに基づいたＷｅｂページを表示していることを示している。
【００３２】
テレビ受像器１０からスマートフォン２０にｗｅｂＭａｇデータに送信することで、スマートフォン２０の表示画面にテレビ受像器１０のディスプレイ２１２に表示されていたＷｅｂページ内の一部の領域を表示させることが可能になる。
【００３３】
スマートフォン２０は、ｗｅｂＭａｇデータ内のディスプレイサイズに基づいて、テレビ受像器１０で領域が選択される前のＷｅｂページが表示されていた状態を演算する。演算された状態から領域の位置情報（始点、高さ、幅）に基づいて、選択された領域を抽出し、抽出された領域をスマートフォン２０のディスプレイに表示する。
【００３４】
(第２の実施形態)
本実施形態では、第１の実施形態のスマートフォンにディスプレイに表示されているＷｅｂページの一部の領域に基づいてｗｅｂＭａｇデータを生成し、生成されたｗｅｂＭａｇデータを送信する例を説明する。
【００３５】
図１２を参照してスマートフォン（電子機器）２０の構成を説明する。図１２は、スマートフォン２０のシステム構成を示すブロック図である。  
テレビ受像器１０は、リモコン信号受信部６０１、３Ｇ通信モジュール６０２、Ｗｅｂ情報表示画面制御部６０３、接続機器検出部６０４、Ｗｅｂ情報受信部６０５、ネットワークインタフェース（Ｉ／Ｆ）部６０６、Ｗｅｂ情報表示用パラメータ制御部６０７、Ｗｅｂ情報表示用パラメータデータベース（ＤＢ）６０８、パラメータ送受信部６０９、映像信号出力部６１１、およびディスプレイ６１２等を備えている。
【００３６】
操作位置検出部６０１は、ディスプレイ６１２上の操作位置を検出し、検出位置に応じた信号を出力する。３Ｇ通信モジュール６０２は、移動体通信の規格である「IMT-2000」 (International Mobile Telecommunication 2000) 規格に準拠した通信モジュールである。
【００３７】
Ｗｅｂ情報表示画面制御部６０３は、操作位置検出部６０１から送信された信号またはテレビ受像器１０から送信されたｗｅｂＭａｇデータに応じて、Ｗｅｂサイトにアクセスし、Ｗｅｂ情報受信部６０５およびネットワークＩ／Ｆ部６０６を用いてＷｅｂページデータを受信する。ネットワークＩ／Ｆ部６０６は、無線通信によって宅内ＬＡＮ上のデバイスおよびインターネットと通信を行う。
【００３８】
Ｗｅｂ情報表示画面制御部６０３は、映像信号出力部６１１によってＷｅｂページデータに基づいたＷｅｂページをディスプレイ６１２の表示画面上に表示するための映像データを生成する。そして、操作位置検出部６０１からの信号に応じて、ディスプレイ６１２の表示画面上に全画面表示されているＷｅｂページから選択された一部の領域をディスプレイ６１２の表示画面上に表示するための映像データを生成する。
【００３９】
また、Ｗｅｂ情報表示画面制御部６０３は、後述するｗｅｂＭａｇデータを受信した場合に、ｗｅｂＭａｇデータに基づいたＷｅｂサイトの一部の領域をディスプレイに表示するための映像データを生成する。
【００４０】
Ｗｅｂ情報表示用パラメータ制御部６０７は、選択された領域の情報をＷｅｂ情報表示画面制御部６０３から取得し、取得したデータに基づいてｗｅｂＭａｇデータを生成する。Ｗｅｂ情報表示用パラメータ制御部６０７は、生成したｗｅｂＭａｇデータをＷｅｂ情報表示用パラメータデータベース６０８に格納する。
【００４１】
Ｗｅｂ情報表示用パラメータ制御部２０７がｗｅｂＭａｇデータを生成し、生成したｗｅｂＭａｇデータをＷｅｂ情報表示用パラメータデータベース２０８に格納する手順を図１３のフローチャートを参照して説明する。
【００４２】
Ｗｅｂ情報表示用パラメータ制御部６０７は、ディスプレイ６１２の情報｛解像度（幅[ピクセル]）、高さ[ピクセル]）、サイズ（幅[ｃｍ]）、高さ[ｃｍ]）｝を取得する(ステップ７０１)。ブラウザ上の表示されているｗｅｂサイトの情報を取得する(ステップ７０２)。ｗｅｂサイトの情報は、ディスプレイ６１２に表示されている表示されているｗｅｂサイト内の領域αの情報（始点、終点、幅、高さ[ピクセル]）およびＨＴＭＬのソースデータを含む。Ｗｅｂ情報表示用パラメータ制御部６０７は、ソースデータからｗｅｂサイトのＵＲＬアドレスを取得する（ステップ７０３）。Ｗｅｂ情報表示用パラメータ制御部６０７は、ディスプレイ６１２の情報、ｗｅｂサイト内の領域αの情報（始点、終点、幅、高さ[ピクセル]）、およびｗｅｂサイトのＵＲＬアドレスに基づいて、ｗｅｂＭａｇデータを生成する（ステップ７０４）。Ｗｅｂ情報表示用パラメータ制御部６０７は、生成されたｗｅｂＭａｇデータをＷｅｂ情報表示用パラメータデータベース６０８に格納する。
【００４３】
パラメータ送受信部６０９は、Ｗｅｂ情報表示用パラメータデータベース６０８に格納されたＷｅｂマグデータを、テレビ受像器１０に送信する。
【００４４】
スマートフォン２０からテレビ受像器１０にｗｅｂＭａｇデータに送信することで、テレビ受像器１０の表示画面にスマートフォン２０のディスプレイ６１２に表示されていたＷｅｂページ内の一部の領域を表示させることが可能になる。
【００４５】
テレビ受像器１０のＷｅｂ情報表示画面制御部２０３は、ｗｅｂＭａｇデータ内のディスプレイサイズおよびＵＲＬアドレスに基づいて、スマートフォン２０で領域が選択される前のＷｅｂページが表示されていた状態を演算する。Ｗｅｂ情報表示画面制御部２０３は、演算された状態から領域の位置情報（始点、高さ、幅）に基づいて、選択された領域を抽出し、抽出された領域をテレビ受像器１０のディスプレイ２１２に表示する。
【００４６】
なお、テレビ受像器１０およびスマートフォン２０は、プログラムを実行するプロセッサを備えており、コンピュータの一種である。
【００４７】
なお、本実施形態のｗｅｂページの特定の位置部分を表示する処理、ｗｅｂＭａｇデータを生成する処理、およびｗｅｂｍａｇデータに基づいてｗｅｂページの特定の位置部分を表示する処理の手順は全てソフトウェアによって実行することができる。このため、ｗｅｂページの特定の位置部分を表示する処理、ｗｅｂＭａｇデータを生成する処理、およびｗｅｂｍａｇデータに基づいてｗｅｂページの特定の位置部分を表示する処理の手順を実行するプログラムを格納したコンピュータ読み取り可能な記憶媒体を通じてこのプログラムを通常のコンピュータにインストールして実行するだけで、本実施形態と同様の効果を容易に実現することができる。
【００４８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４９】
２０１…リモコン信号受信部，２０２．Ｗｅｂ…放送データ受信部，２０２…放送データ受信部，２０３…情報表示画面制御部，２０４．Ｗｅｂ…接続機器検出部，２０５…Ｗｅｂ情報受信部，２０６…ネットワークインタフェース部，２０７…Ｗｅｂ情報表示用パラメータ制御部，２０８…Ｗｅｂ情報表示用パラメータデータベース，２０９…Ｗｅｂパラメータ送受信部，２１０…表示内容制御部，２１１…映像信号出力部，２１２…ディスプレイ。
【図１】
2012230629.tif 000003
【図２】
2012230629.tif 000004
【図３】
2012230629.tif 000005
【図４】
2012230629.tif 000006
【図５】
2012230629.tif 000007
【図６】
2012230629.tif 000008
【図７】
2012230629.tif 000009
【図８】
2012230629.tif 000010
【図９】
2012230629.tif 000011
【図１０】
2012230629.tif 000012
【図１１】
2012230629.tif 000013
【図１２】
2012230629.tif 000014
【図１３】
2012230629.tif 000015
【手続補正書】
【提出日】平成24年4月13日(2012.4.13)
【手続補正１】
【補正対象書類名】明細書
【補正対象項目名】０００３
【補正方法】変更
【補正の内容】
【０００３】
【特許文献１】特開２０１０−００９５１６号公報